(57)【特許請求の範囲】
【請求項１】
複数の楽音再生装置と、複数のサーバーと、環境設定用端末装置とを備えており、各サーバーは、それぞれ所定数の楽音再生装置とＬＡＮ回線で接続されており、前記環境設定用端末装置は各サーバーおよび各楽音再生装置とＬＡＮ回線で接続された楽音再生システムであって、
前記サーバーは、楽曲を示す楽曲情報と、背景映像の種類、楽曲の間奏部分や楽曲の演奏終了後に再生する拍手パターンの種類、および曲が演奏されていないときに再生するＢＧＭの種類を示す動作環境の設定内容とを記憶するとともに、前記環境設定用端末装置によって当該サーバーとの接続が指定された所定の楽音再生装置により選曲が行われたときに、その選曲された楽曲を示す楽曲情報と、前記動作環境の設定内容とを前記所定の楽音再生装置へ送信し、
前記楽音再生装置は、
前記環境設定用端末装置から前記サーバーを指定するための指定信号を受信する受信手段と、前記指定信号の受信以降に再生すべき楽曲を選曲する選曲手段と、この選曲手段により選曲された楽曲を示す楽曲情報および前記動作環境の設定内容を、前記受信手段により受信された前記指定信号により指定されるサーバーから前記ＬＡＮ回線を介して受信し、その受信した楽曲情報を再生するとともに、受信した動作環境の設定内容に対応した情報を再生する再生手段とを備えており、
前記環境設定用端末装置は、
各楽音再生装置に対して、前記指定信号を楽音再生装置毎に前記ＬＡＮ回線を介して送信することにより、接続されるべきサーバーを楽音再生装置毎に指定可能であり、さらに、各サーバーに対しては、各サーバーに記憶されている動作環境の設定内容をサーバー毎に変更可能に構成されていることを特徴とする楽音再生システム。
【請求項２】
前記サーバーには、
当該サーバーに接続された所定の楽音再生装置からの送信要求に応じて、前記所定の楽音再生装置が有する再生手段により、前記選曲手段により選曲された楽曲情報に基づいて再生された楽曲の間奏部分または演奏終了後に前記拍手パターンの種類を示す効果音情報を前記所定の楽音再生装置へ送信する効果音情報送信手段が備えられており、
前記所定の楽音再生装置が有する再生手段は、前記選曲手段により選曲された楽曲情報に基づく楽曲の間奏部分または演奏終了後に、前記効果音情報送信手段により送信される効果音情報に対応する拍手パターンを再生することを特徴とする請求項１に記載の楽音再生システム。
【請求項３】
前記複数の楽音再生装置、前記複数のサーバーおよび前記環境設定用端末装置には、それぞれイーサネットアドレスが割り当てられているとともに、前記ＬＡＮ回線によって相互に送受信可能に接続されており、
前記環境設定用端末装置は、特定のサーバーに接続すべき楽音再生装置に対して、その楽音再生装置および前記特定のサーバーにそれぞれ割り当てられているイーサネットアドレスを含む指定信号を送信し、
前記指定信号を受信した楽音再生装置は、前記受信した指定信号に含まれるイーサネットアドレスにより特定されるサーバーを送受信先に決定することを特徴とする請求項１または請求項２に記載の楽音再生システム。
【発明の詳細な説明】
【０００１】
【発明の属する技術分野】
この発明は、楽音を再生する楽音再生装置が複数の部屋に備えられた楽音再生システムであって、各部屋にカラオケ装置が備えられたカラオケＢＯＸで用いるカラオケシステムとして好適なものに関する。
【０００２】
【従来の技術】
従来、上記カラオケシステムとしては、図１５に示すものが知られている。図１５（Ａ）に示すものは、複数の部屋９１，９１・・に備えられたカラオケ装置９０と、カラオケＢＯＸの管理室に設けられた、曲データを送信するサーバー９５とが通信回線９２により接続された集中管理型のものである。サーバー９５には、カラオケ曲を示す曲データおよびＢＧＭを示すＢＧＭデータが蓄積されたハードディス装置（以下、「ＨＤＤ」と称す。）９６と、カラオケ装置９０に備えられた図示しないモニタに表示する背景映像を再生する複数の動画プレーヤ９８が接続されている。ＨＤＤ９６には、背景映像の種類と、曲が再生されていないときにカラオケ装置９０により再生するＢＧＭ（バックグランドミュージック）の種類と、曲の演奏中や演奏終了後に再生する拍手パターンの種類などの動作環境を設定する環境ファイルが記憶されている。
【０００３】
そして、カラオケ装置９０から送信されたリクエスト信号は、通信回線９２を介してヘッドアンプ９３により信号増幅され、センターモデム９４により受信される。続いて、サーバー９５は、その受信されたリクエスト信号により示される選曲番号に対応する曲データをＨＤＤ９６から読出し、この読出した曲データをセンターモデム９４から通信回線９２を介して、上記リクエスト信号を送信したカラオケ装置９０へ送信する。また、ＨＤＤ９６に記憶された環境ファイルを読出し、その環境ファイルに設定された種類の背景映像を動画プレーヤ９８により再生する。動画制御装置９９は、複数の動画プレーヤ９８のうちで使用中でない動画プレーヤ９８を選択する。
【０００４】
この選択された動画プレーヤ９８から出力される背景映像データは、変調器９７により所定の信号に変調され、ヘッドアンプ９３により信号増幅される。この信号増幅された背景映像データは、通信回線９２を介して、上記リクエスト信号を送信したカラオケ装置９０へ送信され、その背景映像データにより示される背景映像がモニタに表示される。そして、曲の間奏や曲の再生終了後の拍手タイミングになると、環境ファイルにより設定された拍手パターンを示す拍手音データがＨＤＤ９６から読み出されてカラオケ装置９０へ送信され、拍手音が再生される。また、曲の再生が終了すると、環境ファイルに設定された種類のＢＧＭを示すＢＧＭデータがＨＤＤ９６から読み出されてカラオケ装置９０へ送信され、ＢＧＭが再生される。
【０００５】
また、図１５（Ｂ）に示すものは、各部屋９１のカラオケ装置９０に動画プレーヤ９８およびＨＤＤ８９がそれぞれ接続された、いわゆる単体型のものである。ＨＤＤ８９には、部屋９１独自に設定された環境ファイルと、拍手音データと、ＢＧＭデータと、ホストコンピュータ１０５から送信される曲データとが記憶されており、上記環境ファイルに基づいて背景映像、拍手音およびＢＧＭが再生される。
【０００６】
【発明が解決しようとする課題】
ところで、背景映像、拍手パターンおよびＢＧＭなどは、カラオケ装置９０を利用する者の年齢層に合ったものを再生するのが好ましい。つまり、カラオケＢＯＸに客が来店した際に、客の年齢層を判断し、その客が利用する部屋９１のカラオケ装置９０の環境ファイルを設定するのが理想的である。
しかし、上記従来の集中管理型のものでは、複数のカラオケ装置９０を集中管理しているため、カラオケ装置９０のそれぞれに異なる環境ファイルを設定しようとすると、ＨＤＤ９６の記憶容量の限界から、各カラオケ装置９０毎に異なる環境ファイルを設定することが困難であるという問題がある。
また、上記単体型のものでは、環境ファイルが記憶されているＨＤＤ８９が、各部屋９１の内部に設けられていることから、部屋９１を利用する客の年齢層が異なる度に部屋へ行って環境ファイルの設定をし直さなければならないため、手間がかかるという問題がある。
つまり、上記従来のものでは、複数の動作環境を設定するとともに、その動作環境の設定内容を変更するのが困難であるという問題がある。
【０００７】
そこで、本発明は、楽音再生装置の複数の動作環境を設定するとともに、その動作環境の設定内容の変更を容易に行うことができる楽音再生システムの実現を目的とする。
【０００８】
【課題を解決するための手段】
本発明は、上記目的を達成するため、請求項１に記載の発明では、複数の楽音再生装置と、複数のサーバーと、環境設定用端末装置とを備えており、各サーバーは、それぞれ所定数の楽音再生装置とＬＡＮ回線で接続されており、前記環境設定用端末装置は各サーバーおよび各楽音再生装置とＬＡＮ回線で接続された楽音再生システムであって、前記サーバーは、楽曲を示す楽曲情報と、背景映像の種類、楽曲の間奏部分や楽曲の演奏終了後に再生する拍手パターンの種類、および曲が演奏されていないときに再生するＢＧＭの種類を示す動作環境の設定内容とを記憶するとともに、前記環境設定用端末装置によって当該サーバーとの接続が指定された所定の楽音再生装置により選曲が行われたときに、その選曲された楽曲を示す楽曲情報と、前記動作環境の設定内容とを前記所定の楽音再生装置へ送信し、前記楽音再生装置は、前記環境設定用端末装置から前記サーバーを指定するための指定信号を受信する受信手段と、前記指定信号の受信以降に再生すべき楽曲を選曲する選曲手段と、この選曲手段により選曲された楽曲を示す楽曲情報および前記動作環境の設定内容を、前記受信手段により受信された前記指定信号により指定されるサーバーから前記ＬＡＮ回線を介して受信し、その受信した楽曲情報を再生するとともに、受信した動作環境の設定内容に対応した情報を再生する再生手段とを備えており、前記環境設定用端末装置は、各楽音再生装置に対して、前記指定信号を楽音再生装置毎に前記ＬＡＮ回線を介して送信することにより、接続されるべきサーバーを楽音再生装置毎に指定可能であり、さらに、各サーバーに対しては、各サーバーに記憶されている動作環境の設定内容をサーバー毎に変更可能に構成されているという技術的手段を採用する。
【０００９】
請求項２に記載の発明では、請求項１に記載の楽音再生システムにおいて、前記サーバーには、当該サーバーに接続された所定の楽音再生装置からの送信要求に応じて、前記所定の楽音再生装置が有する再生手段により、前記選曲手段により選曲された楽曲情報に基づいて再生された楽曲の間奏部分または演奏終了後に前記拍手パターンの種類を示す効果音情報を前記所定の楽音再生装置へ送信する効果音情報送信手段が備えられており、前記所定の楽音再生装置が有する再生手段は、前記選曲手段により選曲された楽曲情報に基づく楽曲の間奏部分または演奏終了後に、前記効果音情報送信手段により送信される効果音情報に対応する拍手パターンを再生するという技術的手段を採用する。
【００１０】
請求項３に記載の発明では、請求項１または請求項２に記載の楽音再生システムにおいて、前記複数の楽音再生装置、前記複数のサーバーおよび前記環境設定用端末装置には、それぞれイーサネットアドレスが割り当てられているとともに、前記ＬＡＮ回線によって相互に送受信可能に接続されており、前記環境設定用端末装置は、特定のサーバーに接続すべき楽音再生装置に対して、その楽音再生装置および前記特定のサーバーにそれぞれ割り当てられているイーサネットアドレスを含む指定信号を送信し、前記指定信号を受信した楽音再生装置は、前記受信した指定信号に含まれるイーサネットアドレスにより特定されるサーバーを送受信先に決定するという技術的手段を採用する。
【００１１】
【００１２】
【００１３】
【作用】
請求項１ないし請求項３に記載の発明では、楽音再生装置へ動作環境の設定内容をＬＡＮ回線を介して送信するサーバーが複数備えられているため、それらサーバーの数と同じ数の動作環境を設定することができる。
また、環境設定用端末装置は、各楽音再生装置に対して、サーバーを指定するための指定信号を楽音再生装置毎にＬＡＮ回線を介して送信することにより、接続されるべきサーバーを楽音再生装置毎に指定可能であり、さらに、各サーバーに対しては、各サーバーに記憶されている動作環境の設定内容をサーバー毎に変更可能に構成されている。
したがって、たとえば、後述する発明の実施の形態に記載するように、サーバーとしての複数のカラオケ装置のうちの所定数に、それぞれ種類の異なる動作環境を示す環境ファイルを記憶するＨＤＤを接続し、客層に応じて環境設定用端末装置から、その客が利用する部屋のカラオケ装置をどの環境ファイルを有するカラオケ装置に接続するのかを指定することにより、この指定されたカラオケ装置により上記客が利用する部屋のカラオケ装置の動作環境を設定することができる。
つまり、複数の動作環境を設定するとともに、その動作環境の設定内容の変更を容易に行うことができる。
【００１４】
また、環境設定用端末装置は、各サーバーの動作環境に設定されている背景映像の種類を容易に変更することができ、サーバーに接続された楽音再生装置が有する再生手段により異なる種類の背景映像を表示することができる。
たとえば、後述する発明の実施の形態に記載するように、客が利用するカラオケ装置をその客の年齢層に合った背景映像の種類が設定されたサーバーに接続することにより、客の年齢層に合った背景映像を表示することができる。
【００１５】
また、環境設定用端末装置は、各サーバーの動作環境に設定されているＢＧＭの種類を容易に変更することができ、サーバーに接続された楽音再生装置が有する再生手段により異なる種類のＢＧＭを再生することができる。
したがって、たとえば、後述する発明の実施の形態に記載するように、カラオケ装置による曲の再生が終了し、次の曲が再生されるまでの間、サーバーのＨＤＤに記憶された環境ファイルに設定されたＢＧＭモードを示すＢＧＭデータが、そのＨＤＤから読出され、上記曲の再生が終了したカラオケ装置へ送信され、そのＢＧＭに対応するＢＧＭが再生される。
つまり、環境ファイルにおけるＢＧＭモードの設定を容易に行うことができるとともに、年齢層に合ったＢＧＭを再生することができる。
【００１６】
さらに、請求項２に記載の発明では、サーバーには、当該サーバーに接続された所定の楽音再生装置からの送信要求に応じて、前記所定の楽音再生装置が有する再生手段により、選曲手段により選曲された楽曲情報に基づいて再生された楽曲の間奏部分または演奏終了後に拍手パターンの種類を示す効果音情報を上記所定の楽音再生装置へ送信する効果音情報送信手段が備えられており、上記所定の楽音再生装置が有する再生手段は、選曲手段により選曲された楽曲情報に基づく楽曲の間奏部分または演奏終了後に、効果音情報送信手段により送信される効果音情報に対応する拍手パターンを再生する。
また、上記効果音情報送信手段により送信すべき拍手パターンの種類は、上記環境設定用端末装置により設定される。
したがって、たとえば、後述する発明の実施の形態に記載するように、曲の間奏部分や曲の終了時に再生される拍手音のパターンは、サーバーのＨＤＤに記憶された環境ファイルに設定されており、その拍手パターンを示す拍手音データもそのＨＤＤに記憶されているため、その拍手音を再生するタイミングになると、環境ファイルに設定された拍手パターンを示す拍手音データがＨＤＤから読出されてカラオケ装置へ送信され、再生される。
つまり、環境ファイルにおける拍手パターンの設定を容易に行うことができるとともに、年齢層に合った拍手音を再生することができる。
【００１７】
【発明の実施の形態】
以下、本発明の楽音再生システムの実施形態について図を参照して説明する。
なお、以下の実施形態では、楽音再生システムの一例として、カラオケ装置が設置された部屋を複数有する、いわゆるカラオケＢＯＸで用いられるカラオケシステムを代表に説明する。また、カラオケ装置としては、通信回線を介して曲が提供される、いわゆる通信カラオケ装置が用いられるものとする。
【００１８】
まず、上記カラオケシステムの主要構成について、それを示す図１を参照して説明する。
図１に示すように、カラオケシステム１は、ＡないしＪまでの１０室の部屋２，２・・と、管理室４とを有し、Ａ室には楽音再生装置たるカラオケ装置Ａが、Ｂ室にはカラオケ装置Ｂがそれぞれ設置されており、Ｃ室ないしＪ室には、楽音再生装置たるカラオケ装置１０がそれぞれ設置されている。Ａ室およびＢ室のカラオケ装置１０には、楽曲情報たる曲データが蓄積されたＨＤＤ５が接続されている。このＨＤＤ５には、電話回線３ａを介してホストコンピュータ３から配信される曲データと、Ｃ室ないしＪ室に設置されたカラオケ装置の動作環境を設定する環境ファイルとが記憶されている。
【００１９】
ここに、動作環境とは、カラオケを行う際に、カラオケ装置に備えられたモニタ１２，１４（図２参照）に表示される背景映像の種類、曲の間奏部分や曲の演奏終了後に再生する拍手パターンの種類、曲が演奏されていないときに再生するＢＧＭの種類などを示し、環境ファイルとは、図８に示すように、上記動作環境の種類をテーブル形式に設定したファイルを示す。
ここでは、Ａ室のカラオケ装置ＡをサーバーＡ、Ｂ室のカラオケ装置ＢをサーバーＢとし、サーバーＡには、Ｃ室ないしＦ室のカラオケ装置１０が接続されており、サーバーＢには、Ｇ室ないしＪ室のカラオケ装置１０が接続されているものとする。
つまり、Ａ室およびＢ室のカラオケ装置は、カラオケ装置としての役目をする他、各カラオケ装置１０の動作環境を設定する動作環境設定装置および曲データを送信するサーバーの役目をも果たす。
【００２０】
また、管理室４には、ＨＤＤ５に記憶されている環境ファイル１２０の設定内容を変更するＣＰＵ８ａを備えた環境設定用端末装置８と、環境ファイル１２０を構成するパラメータを入力するキーボード８ｂと、環境設定用端末装置８により設定される内容などを表示するモニタ９とが設置されている。Ａ室ないしＪ室のカラオケ装置および環境設定用端末装置８には、ＬＡＮボード５４がそれぞれ備えられており、各ＬＡＮボード５４は、それぞれＨＵＢ２ａを介して通信回線たるＬＡＮ回線１５に接続されており、このＬＡＮ回線１５により、各カラオケ装置相互間と、環境設定用端末装置８とが相互に送受信可能に接続されている。
【００２１】
次に、カラオケ装置Ａの主要構成について、それを示す図２を参照して説明する。
図２に示すように、カラオケ装置Ａには、カラオケ用の背景映像、歌詞を示す歌詞映像、環境ファイル１２０の内容を示す映像などをＣＲＴに表示するモニタ１２と、歌い手のモニタ用のモニタ１４とが備えられている。また、ＬＡＮ回線１５を介してのＣ室ないしＦ室のカラオケ装置１０への曲データの送信、電話回線３ａを介してのホストコンピュータ３からの曲データの受信、選曲、Ｃ室ないしＦ室のカラオケ装置１０のための環境ファイル１２０の設定および変更、背景映像情報表示手段たるモニタ１２，１４に表示される映像の切替え、合成、分割などの各種制御を行う制御装置２０が備えられている。
【００２２】
さらに、マイクロフォン１７，１８から入力される音声と楽曲たるカラオケ曲とのミキシング、音声とカラオケ曲との音量バランス、エコー調整、ディレイ調整、ミキシング信号の増幅、演奏される曲の音程制御（キーコントロール）、高音、低音の制御（トーンコントロール）などを行うアンプ１６と、このアンプ１６から出力される増幅信号を音として再生するフロアータイプの１組のスピーカ１１，１１と、天井用の１組のスピーカ１３，１３と、制御装置２０を遠隔操作する遠隔操作手段たる送信器７０とが備えられている。
なお、カラオケ装置Ｂも上記カラオケ装置Ａと同じ構成である。また、アンプ１６、制御装置２０、スピーカ１１，１１およびスピーカ１３，１３が、本発明の楽曲情報再生手段に相当する。
【００２３】
次に、サーバーＡに備えられた制御装置２０の装備について図３を参照して説明する。
図３（Ａ）は、制御装置２０の前面パネルの説明図、同図（Ｂ）は、制御装置２０の背面パネルの説明図である。
図３（Ａ）に示すように、制御装置２０の前面パネルには、選曲する曲の番号の入力などを行うための０〜９のボタンからなるテンキー２１と、選曲を確定するための選曲ボタン２２とが設けられており、テンキー２１の上には、選曲された曲の選曲番号を５桁の数字でＬＥＤ表示する選曲番号表示体２３が設けられている。
【００２４】
また、選曲番号表示体２３の左には、演奏が予約されている曲の数をＬＥＤ表示する予約曲数表示体２４が設けられており、その下には、予約の取消を行うための取り消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器７０から送信される光信号を受光する受光窓３８が設けられており、前面パネルの左下には、制御装置２０の電源を立ち上げる電源ボタン３９が設けられている。
【００２５】
また、テンキー２１の右には、演奏される曲のキーを低くするためのフラットキー２９と、キーを標準にする標準キー３０と、キーを高くするシャープキー３１とが設けられており、その下には、ボーカルのメロディーラインの音量を設定するボーカルボタン３２と、２コーラス目までを再生する２コーラスボタン３３と曲の後奏部分をカットする後奏カットボタン３４とが設けられている。
さらに、その下には、カラオケを行うモードとカラオケを行わないモードとに切り替えるカラオケ切替ボタン３５と、通信回線５を介して入力されるデータを曲データからＢＧＭ、有線放送、テレビ放送などに切り替える入力切替ボタン３６と、モニタ１２，１４の表示をカラオケ店が提供しているサービス情報の表示に切り替えるサービスボタン３７とが設けられている。
【００２６】
また、図３（Ｂ）に示すように、制御装置２０の背面パネルには、ＬＡＮ回線１５を接続する通信端子４０と、曲データを保有するホストコンピュータ３（図１参照）から配信される曲データを受信するための電話回線３ａを接続する通信端子４１とが設けられており、この通信端子４１の右方には、アンプ１６の音声入力端子（図示省略）と接続される音声出力端子４２と、モニタ１２の映像入力端子（図示省略）と接続される映像出力端子４３と、モニタ１４の映像入力端子（図示省略）と接続される映像出力端子４４とが設けられている。
【００２７】
次に、上記制御装置２０の制御系の構成について、それをブロック図で示す図４を参照して説明する。
制御装置２０には、環境ファイル１２０の設定および更新、ホストコンピュータ３に対する曲データの送信要求、Ｃ室ないしＦ室のカラオケ装置１０への曲データ、背景映像の種類を示す背景映像モードデータ、拍手音データおよびＢＧＭデータなどの送信、選曲、音声制御、映像制御、曲の演奏順序の予約、演奏順序の変更などをプログラムにしたがって行うＣＰＵ５２が備えられている。このＣＰＵ５２には、選曲された曲の選曲番号を示す選曲番号データ、予約された曲の選曲番号データなどを一時保存するＲＡＭ４６と、ホストコンピュータ３の電話番号および制御装置２０の電話番号を示す電話番号データなどが記憶されたＲＯＭ４７と、ＨＤＤ５から読出された環境ファイル１２０を一時保存するＲＡＭ４８と、環境設定用端末装置８からＬＡＮ回線１５を介して送信される環境ファイル１２０を一時保存するＲＡＭ５０とが接続されている。
【００２８】
また、ＣＰＵ５２には、ＨＤＤ５が接続されており、このＨＤＤ５には、上記環境ファイル１２０、各制御、後述する各回路の動作制御をＣＰＵ５２に実行させるためのプログラムなどが記録されている。さらに、ＣＰＵ５２には、タイマ５８のカウントにしたがって曲データに含まれるＭＩＤＩデータをＭＩＤＩ音源５７へ書き込む制御を行うシーケンサ５６と、ＭＩＤＩ音源５７から出力される音楽信号を入力してアンプ１６により増幅可能な信号に変換する音声制御回路５５とが接続されている。
【００２９】
また、ＣＰＵ５２には、通信端子４０およびＬＡＮ回線１５を介して他のカラオケ装置１０および環境設定用端末装置８との間でデータの送受信を行うためのＬＡＮボード５４が接続されている。このＬＡＮボード５４には、イーサネットアドレスが記憶されたＬＡＮ用のＩＣ（図示省略）が搭載されており、そのイーサネットアドレスを示すイーサネットアドレスデータを送受信信号に含めることにより、送受信先を特定する。さらに、複数種類の背景映像を示す背景映像データが記録されたＣＤ−ＲＯＭを再生する動画プレーヤ６と、この動画プレーヤ６から読出された背景映像データおよびＨＤＤ５から読出された曲データ中の歌詞映像データを入力し、モニタ１２，１４に表示される映像として、図１６に示すように、背景映像２００中に歌詞映像２０２がスーパーインポーズされた映像を作成したり、歌詞映像２０２にテロップ２０４をかけたりする映像制御回路６１が接続されている。
【００３０】
またさらに、ＣＰＵ５２には、受光窓３８内のフォトダイオードなどの受光素子３８ａにより受光された光信号をデジタル信号に変換する受信回路６２と、制御装置の前面パネルに設けられた各種ボタンを押したときに点灯するＬＥＤ、選曲番号表示体２３および予約曲数表示体２４へ表示信号を出力する表示回路６３と、上記各種ボタンを押したときに発生するスイッチング信号を入力する入力回路６４とが接続されている。
また、Ｃ室ないしＪ室、およびＧ室ないしＪ室に設置されたカラオケ装置１０に備えられた制御装置２０の制御系の構成は、図５に示すように、図４に示す通信端子４２および通信用モデム４９が設けられいない点と、サーバーＡおよびサーバーＢから送信される曲データを記憶するＲＡＭ５１が内蔵されている点とで異なり、それら以外の構成は、同じである。
【００３１】
次に、送信器７０の構成について、その外観を示す図６を参照して説明する。
送信器７０の左上には、制御装置２０の電源をＯＮ、ＯＦＦする電源ボタン７１が設けられており、右上には、曲の間奏部分や曲の演奏終了後に拍手の音を再生するように設定するための拍手ボタン７２が設けられており、その左には、拍手のモード（種類）を切り替えるモード切替ボタン７３が設けられている。それらボタンの下には、制御装置２０に設けられたボタンと同じ作用を行うボーカルボタン７４と、２コーラスカットボタン７５と、後奏カットボタン７６とが設けられている。
また、それらボタンの下には、制御装置２０に設けられたボタンと同じく、フラットキー７７、標準キー７８、シャープキー７９、テンキー８０、選曲キー８１、演奏停止キー８２、取り消しキー８３、歌い直しキー８４、割り込みキー８５が設けられている。
なお、上記各ボタンおよびキーを押したときに、そのボタンまたはキーに対応する信号が、発信部８６に内蔵されたＬＥＤから発信される。
【００３２】
次に、環境設定用端末装置８により、サーバーＡのＨＤＤ５に記憶された環境ファイル１２０の設定内容を更新する場合の環境設定用端末装置８に備えられたＣＰＵ８ａおよびサーバーＡの制御装置２０に備えられたＣＰＵ５２の処理内容について図１０のフローチャートを参照して説明する。
【００３３】
まず、環境設定用端末装置８により環境ファイル１２０を更新すべきサーバーＡの指定を行うと（ステップ１００）、環境ファイル１２０の読出しを指令する読出信号がＬＡＮ回線１５へ送信される（ステップ１１０）。この読出信号には、サーバーＡのＬＡＮボード５４が有するイーサネットアドレスを示すイーサネットアドレスデータが含まれており、読出信号は、イーサネットアドレスデータにより示されるイーサネットアドレスを有するＬＡＮボード５４、つまり、サーバーＡのＬＡＮボード５４により取り込まれる。
【００３４】
続いて、サーバーＡは、読出信号を受信すると（ステップ２００）、自己のＨＤＤ５から環境ファイル１２０を読出し（ステップ２１０）、環境設定用端末装置８へ送信する（ステップ２２０）。続いて、その送信された環境ファイル１２０は、環境設定用端末装置８により受信され（ステップ１２０）、図９に示すように、モニタ９に表示される（ステップ１３０）。その表示内容は、図９（Ａ）に示すように、サーバーＡと接続されているカラオケ装置１０により再生される背景映像の種類を設定するための画面と、同図（Ｂ）に示すように、サーバーＡと接続されているカラオケ装置１０により再生される拍手音のパターンを設定するための画面と、同図（Ｃ）に示すように、サーバーＡと接続されているカラオケ装置１０により再生されるＢＧＭの種類を設定するための画面である。
【００３５】
背景映像の種類には、図９（Ａ）に示すように、曲に合わせた映像、風景の映像、スポーツの映像およびファミリー向けの映像の４種類があり、拍手音のパターンには、同図（Ｂ）に示すように、拍手なし、まばらな拍手、ホールの拍手および歓声入り拍手の４種類があり、ＢＧＭの種類には、同図（Ｃ）に示すように、ＢＧＭなし、ポップス、演歌およびアニメ・童謡の４種類がある。
これらの環境を示すパラメータは、たとえば、客が若い年齢層である場合には、背景映像の種類をスポーツ、拍手パターンの種類を歓声入りの拍手、ＢＧＭの種類をポップスに設定することができ、また、客が年配層である場合には、それぞれ、風景、拍手なし、演歌に設定することができる。
つまり、客の年齢層に合ったパラメータを設定することができる。
ここでは、サーバーＡに設定されている環境ファイル１２０を図９にテロップ９ａで示すように、背景映像の種類をスポーツに、拍手パターンを歓声入り拍手に、ＢＧＭをポップスにそれぞれ更新するものとする。また、環境ファイル１２０に設定される背景映像の種類を示すデータを背景映像モードデータ、拍手音のパターンを示すデータを拍手モードデータ、ＢＧＭの種類を示すデータをＢＧＭモードデータとする。
【００３６】
この設定は、モニタ９の画面上に表示されるテロップ９ａをキーボード８ｂやマウスなどの操作により上下に移動し、目的のパラメータの上に移動したときにリターンキーなどを押すか、マウスをクリックして選択を確定して行う。総てのパラメータの設定を行い、環境設定が終了すると（ステップ１４０）、その設定された環境ファイル１２０がサーバーＡへ送信され（ステップ１５０）、サーバーＡにより受信される（ステップ２３０）。続いて、サーバーＡは、受信した環境ファイル１２０により示される背景映像モードデータを環境ファイル１２０に書き込んで更新する（ステップ２４０）。続いて、拍手モードデータを書き込んで更新し（ステップ２５０）、ＢＧＭモードデータを書き込んで更新する（ステップ２６０）。そして、リクエスト信号を送信したカラオケ装置１０へ曲データを送信する処理を行う。
【００３７】
また、サーバーＢのＨＤＤ５に記憶されている環境ファイル１２０についても、環境設定用端末装置８により、所望のパラメータ、たとえば、上記年配層に合ったパラメータを設定して更新することができる。
このように、本実施形態のカラオケシステム１によれば、管理室４に居ながらにして、Ａ室のサーバーＡおよびＢ室のサーバーＢにそれぞれ異なる環境ファイル１２０を設定することができる。
したがって、環境ファイルを設定するために、サーバーが備えられた部屋へ行く手間を省くことができるとともに、年齢層に応じた環境ファイルを設定することができる。
なお、カラオケをしていない場合にモニタ１２，１４に表示するＢＧＶ（バックグランドビデオ）を環境ファイル１２０を構成するパラメータとして設定することもでき、この場合、環境設定用端末装置８により設定されたＢＧＶの種類を示すＢＧＶモードデータが環境設定用端末装置８からサーバーへ送信され、環境ファイル中のＢＧＶモードデータが構成される。
【００３８】
次に、カラオケ装置１０が接続されるべきサーバーを決定する場合の環境設定用端末装置８に備えられたＣＰＵ８ａおよびカラオケ装置１０のＣＰＵ４５の処理内容について図１１のフローチャートを参照して説明する。
なお、ここでは、Ｃ室のカラオケ装置１０をサーバーＡに接続するものとする。
まず、環境設定用端末装置８によりサーバーＡの指定を行い（ステップ１６０）、その指定を示す指定信号をＣ室のカラオケ装置１０へ送信する（ステップ１７０）。その指定信号には、Ｃ室のＬＡＮボード５４のイーサネットアドレスを示すイーサネットアドレスデータと、サーバーＡのイーサネットアドレスデータとが含まれている。
【００３９】
そして、ＣＰＵ４５は、指定信号を受信すると（ステップ４００）、その指定信号により示されるイーサネットアドレスデータを有するサーバー、つまり、サーバーＡを曲データの送信要求を行うとともに、自己の環境ファイル１２０が設定されているサーバーに決定される（ステップ４１０）。そして、ＣＰＵ４５は、選曲および再生のための処理を実行する（ステップ４２０）。
このように、本実施形態のカラオケシステム１によれば、Ｃ室のカラオケ装置１０をサーバーＡに接続することができる。
つまり、カラオケＢＯＸに来店した客の年齢層に応じて、その客が利用する部屋のカラオケ装置の環境ファイルを設定することができるため、理想的な動作環境でカラオケを楽しむことができる。
【００４０】
次に、上記選曲および再生の処理、つまり、Ｃ室のカラオケ装置１０を利用する者が選曲を行い、その選曲された曲によりカラオケを行う場合のＣＰＵ４５およびサーバーＡのＣＰＵ５２の制御内容について図１２および図１３を参照して説明する。
図１２は、サーバーＡのＣＰＵ５２の制御内容を示すフローチャートであり、図１３は、カラオケ装置１０のＣＰＵ４５の制御内容を示すフローチャートである。
まず、利用者が、送信器７０をＣ室のカラオケ装置１０に備えられた制御装置２０に向けて、電源ボタン７１を押すと、制御装置２０の電源が投入され、これに連動してモニタ１２，１４およびアンプ１６が起動する。そして、送信器７０のテンキー８０を押して歌いたい曲の選曲番号を入力する。このとき、テンキーを押す毎に、その押したキーに対応する数字が、モニタ１２，１４および制御装置２０の選曲番号表示体２３に表示され、選曲番号の確認をできるようになっている。
なお、選曲中であることは、表示された数字が点滅表示されることにより確認できるようになっている。
【００４１】
そして、選曲番号の入力が終了し、選曲キー８１を押すと入力した選曲番号が確定されるとともに、その選曲番号を示す選曲番号データがＲＡＭ４６に一時格納される。続いて、その一時格納された選曲番号データをＲＡＭ４６から読出すとともに、その読出した選曲番号データにより示される選曲番号に対応する曲データの送信要求を示すリクエスト信号をサーバーＡへ送信する（ステップ４２２）。続いて、サーバーＡは、リクエスト信号を受信すると（ステップ２８２）、自己のＨＤＤ５から上記リクエスト信号に示される選曲番号の曲データを検索して読出し（ステップ２８４）、ＨＤＤ５から環境ファイル１２０を読出す（ステップ２８８）。
その読出された曲データは、その構成を示す図７（Ａ）のように、ＭＩＤＩデータ１０１と、歌詞の映像を示す歌詞映像データ１０２とから構成されており、曲データ１００には、環境ファイル１２０の中の背景映像モードデータ１０３が付されている。また、ＭＩＤＩデータ１０１には、図７（Ｂ）に示すように、拍手音を再生するタイミングを示す拍手タイミングデータ１０４が含まれている。
なお、環境ファイルにＢＧＶモードが設定されている場合は、ＢＧＶモードデータが曲データ１００に付される。
【００４２】
続いて、上記読出された曲データ１００および背景映像モードデータ１０３が、ＬＡＮ回線１５を介してＣ室のカラオケ装置１０へ送信され（ステップ２９０）、カラオケ装置１０の制御装置２０の通信端子４０およびＬＡＮボード５４を介して受信される（ステップ４２４）。続いて、その受信された曲データ１００および背景映像モードデータ１０３は、ＲＡＭ５１に保存開始され、その保存が終了するとＲＡＭ５１から曲データ１００が読出され、曲データ１００に含まれる歌詞映像データ１０２は、映像制御回路６１に入力され、モニタ１２，１４に表示可能な歌詞映像信号に変換される。
【００４３】
また、曲データ１００に含まれるＭＩＤＩデータ１０１は、シーケンサ５６に取り込まれ、タイマ５８のカウントにしたがってＭＩＤＩ音源５７に書き込まれる。ＭＩＤＩ音源５７にＭＩＤＩデータの書き込まれた部分の音源データは、音声制御回路５５へ出力され、アンプ１６によって増幅可能なアナログの音楽信号に変換される。この音楽信号は、アンプ１６へ出力され、増幅された後にスピーカ１１，１１およびスピーカ１３，１３へ出力され、両スピーカによって再生される（ステップ４２６）。
【００４４】
一方、ＲＡＭ５１から読出された背景映像モードデータ１０３に対応する背景映像を示す背景映像データが動画プレーヤ６により、ＣＤ−ＲＯＭから検索されて読出され、この読出された背景映像データは、映像制御回路６１によりビットマップデータに展開されるとともに、モニタ１２，１４に表示可能な信号に変換され、映像出力端子４３を介してモニタ１２へ出力され、また、映像出力端子４４を介してモニタ１４へ出力され、両モニタ１２，１４により背景映像が表示される（ステップ４２６）。その表示は、図１４に示すように、背景映像２００の中に歌詞映像２０２がスーパーインポーズされた形で行われる。
【００４５】
また、マイクロフォン１７，１８から入力された音声は、アンプ１６に内蔵されたマイクミキシング回路により、上記音楽信号とミキシングされ、このミキシングされたミキシング信号は、アンプ１６により増幅された後にスピーカ１１，１１およびスピーカ１３，１３へ出力され、両スピーカによって音楽信号および音声信号が再生される。
つまり、Ｃ室のカラオケ装置１０の利用者は、自分の選んだ曲をモニタ１２，１４の画面に映し出された背景映像２００および歌詞映像２０２を見ながらマイクロフォン１７、または、マイクロフォン１８を通して歌う（カラオケする）ことができる。
【００４６】
そして、曲の間奏部分などにおいて、ＭＩＤＩデータ１０１の中に含まれている拍手タイミングデータ１０４がＲＡＭ５１から読み出されると、つまり、拍手音を再生するタイミングになると（ステップ４２８）、拍手音を示す拍手音データの送信を要求する要求信号がサーバーＡへ送信される（ステップ４３０）。続いて、サーバーＡは、その要求信号を受信すると（ステップ２９２）、環境ファイル１２０に設定されている効果音情報たる拍手音モードに対応する拍手音データをＨＤＤ５から読出してカラオケ装置１０へ送信する（ステップ２９４）。
【００４７】
続いて、カラオケ装置１０は、拍手音データを受信し（ステップ４３２）、その拍手音データを再生する（ステップ４３４）。そして、曲データ１００の再生が終了すると（ステップ４３６）、再生の予約を示す選曲番号データがＲＡＭ４６に記憶されていないか、つまり、予約曲があるかを判定し（ステップ４３８）、予約曲がない場合には、再生の終了を示す再生終了信号をサーバーＡへ送信する（ステップ４４０）。続いて、サーバーＡは、再生終了信号を受信すると（ステップ２９６）、環境ファイル１２０に設定されているＢＧＭモードにより示される所定の楽曲情報たるＢＧＭデータをＨＤＤ５から読出してカラオケ装置１０へ送信する（ステップ２９８）。
【００４８】
そして、カラオケ装置１０は、ＢＧＭデータを受信し（ステップ４４２）、ＢＧＭを再生する（ステップ４４４）。その後、上記選曲操作が行われると（ステップ４４６）、ステップ４２２へ戻り、リクエスト信号を送信する。
このように、本実施形態のカラオケシステム１によれば、Ｃ室のカラオケ装置１０をサーバーＡにより設定された環境ファイル１２０にしたがって動作させることができる。
つまり、カラオケ装置１０を客の年齢層に合った環境で動作させることができるため、理想的な環境でカラオケを楽しむことができる。
なお、ＢＧＭデータに代えてＢＧＶモードデータを受信した場合は、そのＢＧＶモードデータに対応するＢＧＶが動画プレーヤ６により再生され、モニタ１２，１４に表示される。また、ＢＧＶデータに含まれるＢＧＶ音声データがアンプ１６、スピーカ１１，１１およびスピーカ１３，１３により再生される。
【００４９】
上記実施形態では、環境ファイルに設定するパラメータとして、背景映像の種類、拍手パターンの種類およびＢＧＭの種類を例に挙げて説明したが、その他のパラメータとしては、モニタ１２，１４の画面の明るさ、ＢＧＭの音量、ＢＧＭのステレオおよびモノラルの設定がある。また、歌い手が立つステージなどが設けられている場所では、選曲から曲データ１００の再生までの時間が短いと、歌い手がステージに上がる前に曲が演奏されてしまうことから、それを防止するために、曲データ１００を再生する場合に曲のタイトルをモニタに表示した状態で曲の演奏を所定時間待機する機能が設けられており、その待機する時間を示す待機時間データが設定される。
【００５０】
なお、上記実施形態では、環境設定用端末装置８を管理室４に備えた場合を説明したが、Ａ室ないしＪ室のいずれかに備える構成にすることもできる。
ところで、ＣＰＵ５２により実行されるステップ２４０が本発明の背景映像情報設定手段として機能し、ステップ２９８が楽曲情報送信手段として機能する。また、ＣＰＵ５２により実行されるステップ２６０が本発明の楽曲情報設定手段として機能し、ステップ２９４が効果音情報送信手段として機能し、ステップ２５０が効果音情報設定手段として機能する。
【００５１】
【発明の効果】
以上のように、本発明によれば、楽音再生装置の複数の動作環境を設定するとともに、その動作環境の設定内容の変更を容易に行うことができる楽音再生システムを実現することができる。
【図面の簡単な説明】
【図１】  本発明実施形態のカラオケシステムの主要構成を示すブロック図である。
【図２】  図１に示すカラオケシステムに備えられたカラオケ装置の外観説明図である。
【図３】  （Ａ）は、カラオケ装置に備えられた制御装置の前面パネルの説明図であり、（Ｂ）は、制御装置の背面パネルの説明図である。
【図４】  サーバーＡに備えられた制御装置の制御系を示すブロック図である。
【図５】  カラオケ装置１０に備えられた制御装置の制御系の構成を示すブロック図である。
【図６】  送信器の外観を示す説明図である。
【図７】  （Ａ）は、曲データの説明図であり、（Ｂ）は、ＭＩＤＩデータの説明図である。
【図８】  環境ファイルの設定内容を示す説明図である。
【図９】  （Ａ）は、モニタ９に表示される背景映像種類の設定画面を示し、（Ｂ）は、モニタ９に表示される拍手パターンの設定画面を示し、（Ｃ）は、モニタ９に表示されるＢＧＭの設定画面を示す。
【図１０】  環境設定用端末装置８のＣＰＵ８ａおよびサーバーＡのＣＰＵ５２の処理内容をフローチャートである。
【図１１】  環境設定用端末装置８のＣＰＵ８ａおよびカラオケ装置１０のＣＰＵ４５の処理内容をフローチャートである。
【図１２】  サーバーＡのＣＰＵ５２の制御内容を示すフローチャートである。
【図１３】  カラオケ装置１０のＣＰＵ４５の制御内容を示すフローチャートである。
【図１４】  モニタ１２に表示された背景映像および歌詞映像を示す説明図である。
【図１５】  （Ａ）は、従来の集中管理型のカラオケシステムの説明図であり、（Ｂ）は、単体型のカラオケシステムの説明図である。
【符号の説明】
１          カラオケシステム
３          ホストコンピュータ
３ａ        電話回線
５          ＨＤＤ
６          動画プレーヤ
８          環境設定用端末装置
１０          カラオケ装置
１２，１４    モニタ
１５          ＬＡＮ回線
１６          アンプ
２０          制御装置
４５，５２    ＣＰＵ
５１          ＲＡＭ
１１，１３    スピーカ
１７，１８    マイクロフォン
７０          送信器
１００          曲データ
１２０          環境ファイル
【図１】
0003703580.tif 000002
【図２】
0003703580.tif 000003
【図３】
0003703580.tif 000004
【図４】
0003703580.tif 000005
【図５】
0003703580.tif 000006
【図６】
0003703580.tif 000007
【図７】
0003703580.tif 000008
【図８】
0003703580.tif 000009
【図９】
0003703580.tif 000010
【図１０】
0003703580.tif 000011
【図１１】
0003703580.tif 000012
【図１２】
0003703580.tif 000013
【図１３】
0003703580.tif 000014
【図１４】
0003703580.tif 000015
【図１５】
0003703580.tif 000016